(57)【要約】【課題】時計の厚さ寸法や部品数の増加を抑えて良好なアンテナ性能を確保できる電子時計を提供すること。【解決手段】ＧＰＳ付き腕時計１は、ケース１０と、ケース１０の内部に配置されて位置情報衛星からの衛星信号を受信するアンテナ２６と、ケース１０の内部に配置された受信基板２１１とを備える。ケース１０は、導電性部材で形成された裏蓋１２と、裏蓋１２と別体または一体に設けられた胴１１とを有する。裏蓋１２は、受信基板２１１に搭載された受信回路２４を囲む壁部１２２を備える。【選択図】図２
2013050323.tif 000002
【特許請求の範囲】
【請求項１】
ケースと、
前記ケースの内部に配置され、位置情報衛星からの衛星信号を受信するアンテナと、
前記ケースの内部に配置された受信基板と、を備え、
前記ケースは、導電性部材で形成された裏蓋と、前記裏蓋と別体または一体に設けられた胴とを有し、
前記裏蓋は、前記受信基板に搭載された回路を囲む壁部が設けられている
ことを特徴とする電子時計。
【請求項２】
請求項１に記載の電子時計において、
前記受信基板に搭載される回路として受信回路を備え、
前記裏蓋は、前記受信回路を囲む壁部が設けられている
ことを特徴とする電子時計。
【請求項３】
請求項１または請求項２に記載の電子時計において、
前記受信基板に搭載される回路として電源回路を備え、
前記裏蓋は、前記電源回路を囲む壁部が設けられている
ことを特徴とする電子時計。
【請求項４】
請求項１から請求項３のいずれかに記載の電子時計において、
前記受信基板は、前記回路が前記裏蓋に対向する状態で前記ケースの内部に配置され、
前記壁部は、先端が前記受信基板に設けられたグランドパターンに当接し、
前記受信基板に搭載された回路は、前記受信基板と、前記裏蓋の壁部と、前記裏蓋とで囲まれている
ことを特徴とする電子時計。
【請求項５】
請求項１から請求項４のいずれかに記載の電子時計において、
前記ケースは、前記裏蓋と、前記裏蓋と別体の胴とを備えて構成され、
前記裏蓋は、前記胴に螺合する環状のねじ部を有したスクリュー式裏蓋であり、
前記壁部は、円筒状に形成され、当該壁部の中心位置が前記ねじ部の中心と同じ位置である
ことを特徴とする電子時計。
【請求項６】
請求項１から請求項５までのいずれかに記載の電子時計において、
前記壁部の内側に配置された電池を備える
ことを特徴とする電子時計。
【発明の詳細な説明】
【技術分野】
【０００１】
本発明は、ＧＰＳ衛星などの位置情報衛星から送信される衛星信号を受信して現在の日付や時刻を求める電子時計に関する。
【背景技術】
【０００２】
ＧＰＳ（Global Positioning System）衛星などの位置情報衛星から送信される衛星信号（電波）を受信して現在時刻を取得する無線機能を有する電子時計が知られている（例えば、特許文献１参照）。
特許文献１の電子時計では、表示部の周囲に誘電体基板を伴うＣ型ループアンテナを配置している。
【先行技術文献】
【特許文献】
【０００３】
【特許文献１】特開２００９−１６８６５６号公報
【発明の概要】
【発明が解決しようとする課題】
【０００４】
ところで、腕時計のような小型の電子時計に無線機能を搭載する場合、アンテナの構成としてはできるだけ円形（輪型）のアンテナがスペース上有利である。このようなアンテナを搭載した場合、受信した衛星信号を処理する受信回路はその中心側に配置することが好ましい。
しかしながら、この受信回路における消費電流が多くなると、受信回路で発生する放射ノイズが大きくなり、アンテナでの受信感度が低下するおそれがある。
このため、一般的には、放射ノイズを遮蔽するシールド板で受信回路を囲むことで受信感度の低下を防止することが行われる。しかしながら、シールド板を設けることにより、時計の厚さ寸法が厚くなったり、部品数が増加して組み立て作業が煩雑となるという問題がある。
【０００５】
本発明の目的は、時計の厚さ寸法や部品数の増加を抑えて良好なアンテナ性能を確保できる電子時計を提供することである。
【課題を解決するための手段】
【０００６】
本発明の電子時計は、ケースと、前記ケースの内部に配置され、位置情報衛星からの衛星信号を受信するアンテナと、前記ケースの内部に配置された受信基板と、を備え、前記ケースは、導電性部材で形成された裏蓋と、前記裏蓋と別体または一体に設けられた胴とを有し、前記裏蓋は、前記受信基板に搭載された回路を囲む壁部が設けられていることを特徴とする。
【０００７】
このような発明においては、導電性部材にて形成された裏蓋に、受信基板に搭載された回路、たとえば受信回路や電源回路などのアンテナに対して放射ノイズ源となる回路を囲む壁部を設けている。
裏蓋の壁部によって受信基板の回路の周囲がシールドされるため、回路から発する放射ノイズが遮蔽され、アンテナの受信感度が低下することを防止できる。また、裏蓋がシールド板の機能を備えるため、別途、シールド板を設ける必要がない。このため、当該電子時計の厚さ寸法や部品数の増加を抑えることができる。
ここで、本発明のアンテナは、周方向で連続した環状の他、環の一部が欠けた例えばＣ字形状のものをも含むものである。また、表示部による表示としては、指針による表示、液晶表示パルや有機ＥＬ（Electro Luminescence）表示パネルなどの各種表示パネルによる表示などを含むものである。
【０００８】
本発明の電子時計において、前記受信基板に搭載される回路として受信回路を備え、前記裏蓋は、前記受信回路を囲む壁部が設けられていることが好ましい。
受信基板には、アンテナで受信する衛星信号を処理する受信回路が搭載される。この受信回路は、消費電流が多くなると、受信回路で発生する放射ノイズも大きくなり、アンテナでの受信に影響する。
本発明では、受信基板に搭載された受信回路の周囲を、前記裏蓋の壁部でシールドするので、受信回路から発する放射ノイズを遮蔽でき、アンテナの受信感度の低下を防止できる。
【０００９】
本発明の電子時計において、前記受信基板に搭載される回路として電源回路を備え、前記裏蓋は、前記電源回路を囲む壁部が設けられていることが好ましい。
受信基板に電源回路が搭載された場合、電源回路はＤＣ／ＤＣコンバーターなどを備え、放射ノイズの発生量も多いため、シールド対策を行うことが好ましい。
本発明では、受信基板に搭載された電源回路の周囲を、前記裏蓋の壁部でシールドするので、電源回路から発する放射ノイズを遮蔽でき、アンテナの受信感度の低下を防止できる。
なお、受信基板に受信回路および電源回路が搭載されている場合、前記壁部は、受信回路および電源回路の両方を囲むように構成することが好ましい。この場合は、受信回路および電源回路で発生する放射ノイズを、前記裏蓋の壁部でシールドできるので、アンテナの受信感度の低下をより効果的に防止できる。
【００１０】
本発明の電子時計において、前記受信基板は、前記回路が前記裏蓋に対向する状態で前記ケースの内部に配置され、前記壁部は、先端が前記受信基板に設けられたグランドパターンに当接し、前記受信基板に搭載された回路は、前記受信基板と、前記裏蓋の壁部と、前記裏蓋とで囲まれている
ことが好ましい。
【００１１】
このような発明においては、前記裏蓋の壁部の先端を、受信基板に設けられたグランドパターンに当接させているので、受信基板に搭載された回路は、裏蓋および受信基板で囲まれた状態となる。このため、受信基板の回路で発生する放射ノイズを確実に遮蔽できる。特に、裏蓋の壁部の先端が受信基板のグランドパターンに当接されているので、裏蓋もグランド電位に維持でき、放射ノイズを効果的に遮蔽でき、アンテナの受信感度の低下を一層確実に防止できる。
【００１２】
本発明の電子時計において、前記ケースは、前記裏蓋と、前記裏蓋と別体の胴とを備えて構成され、前記裏蓋は、前記胴に螺合する環状のねじ部を有したスクリュー式裏蓋であり、前記壁部は、円筒状に形成され、当該壁部の中心位置が前記ねじ部の中心と同じ位置であることが好ましい。
【００１３】
このような発明においては、スクリュー式の裏蓋に円筒状の壁部を形成し、この壁部と裏蓋のねじ部とを同心に設けているので、裏蓋を胴に取り付ける際あるいは胴から取り外す際、裏蓋を回転させても壁部の中心が変位しない。このため、胴の中心に放射ノイズ源となる回路を配置すれば、壁部の内側に確実に収容できる。
【００１４】
本発明の電子時計において、前記壁部の内側に配置された電池を備えることが好ましい。
裏蓋の壁部の外側に電池を配置する場合、壁部および胴の間のスペースに配置しなければならず、電池のサイズや形状の制約が大きい。一方、本発明においては、裏蓋の壁部の内側に電池を配置しているので、壁部の大きさを適宜設定すれば、前記電池のサイズや形状に制約を生じることなく、時計の内部構成の設計が容易にできる。
【図面の簡単な説明】
【００１５】
【図１】本発明に係る電子時計を示す概略図。
【図２】本発明に第一実施形態の電子時計を示す概略断面図。
【図３】本発明の第二実施形態の電子時計を示す概略断面図。
【図４】本発明の第三実施形態の電子時計を示す概略断面図。
【図５】本発明の第四実施形態の電子時計を示す概略断面図。
【発明を実施するための形態】
【００１６】
［第一実施形態］
以下、本発明の電子時計に係る第一実施形態のＧＰＳ（Global Positioning System）付き腕時計を図面に基づいて説明する。
【００１７】
｛ＧＰＳ付き腕時計の構成｝
図１に示すように、ＧＰＳ付き腕時計１は、文字板２および指針３からなる時刻表示部を備える。
指針３は、秒針、分針、時針などを備えて構成され、後述するステップモーターおよび歯車列を含む駆動機構を介して駆動される。
【００１８】
そして、ＧＰＳ付き腕時計１は、地球の上空を所定の軌道で周回している複数の位置情報衛星であるＧＰＳ衛星５からの衛星信号を受信して衛星時刻情報を取得し、内部時刻情報を修正できるように構成されている。
なお、ＧＰＳ衛星５は、本発明における位置情報衛星の一例であり、地球の上空に複数存在している。現在は約３０個のＧＰＳ衛星５が周回している。
また、ＧＰＳ付き腕時計１には、外部操作用のリュウズ６、ボタン７，８が設けられている。
【００１９】
｛ＧＰＳ付き腕時計の内部構成｝
次に、ＧＰＳ付き腕時計１の内部構成について説明する。
図２に示すように、ＧＰＳ付き腕時計１は、ケース１０と、ケース１０内に収容されて指針３を駆動するムーブメント２０と、を備えている。
【００２０】
ケース１０は、リング状の胴１１と、この胴１１の一方の開口（図２下側）を塞ぐ裏蓋１２とを備えている。
胴１１および裏蓋１２には、ＢＳ（真鍮）、ＳＵＳ（ステンレス鋼）、チタン合金などの金属材料で構成されている。裏蓋１２は、詳細は後述するが、胴１１に対してねじ構造により接続されるスクリュー式である。
【００２１】
ムーブメント２０は、指針３による時刻表示と、ＧＰＳ衛星５からの信号受信を行うためのものであり、時刻表示およびＧＰＳ機能を処理する回路素子（ＩＣなど）が実装された回路基板２１、指針３を駆動するステップモーターおよび歯車列を含む駆動機構２２、これらに電力を供給する電池２３を備えている。
回路基板２１に実装された回路素子としては、受信回路２４と、制御回路２５とが含まれている。受信回路２４は、ＧＰＳアンテナ２６によりＧＰＳ衛星５から受信した衛星信号を処理する。
【００２２】
制御回路２５は、駆動機構２２を制御するとともに、受信回路２４が受信した衛星信号から時刻情報および測位情報のうちの少なくともいずれか一方を生成する。
【００２３】
電池２３は、一次電池でもよいし、リチウムイオン電池などの二次電池でもよい。二次電池を用いた場合には、ソーラーパネルなどの二次電池を充電する発電機構を組み込むことが好ましい。
【００２４】
胴１１の開口面１１Ａには前述した文字板２が配置されている。
文字板２は、ＢＳ（真鍮）、ＳＵＳ（ステンレス鋼）、チタン合金などの金属材料で構成されている。文字板２の表面には、外観性を向上するために、塗装やメッキ、スパッタリングなどによる表面処理が施されている。
前述した指針３は文字板２の表面側（図２上側）に配置され、ムーブメント２０は文字板２の背面側（図２下側）に配置される。ムーブメント２０においては、文字板２側から裏蓋１２側にかけて駆動機構２２、回路基板２１、電池２３の順で層状に配置される。
【００２５】
ＧＰＳ付き腕時計１は、文字板２の外周に沿って配置されてＧＰＳ衛星５からの衛星信号を受信するＧＰＳアンテナ２６を備えている。
ＧＰＳアンテナ２６は、ダイヤルリング１５で被覆されている。
ダイヤルリング１５は、内周が文字板２へと向かう傾斜面（円錐面）とされ、この傾斜面には６０分割で指示目盛が印刷されている。
【００２６】
ダイヤルリング１５の外周にはベゼル１３が配置され、ベゼル１３の内側には文字板２の表面側および指針３を覆うカバーガラス１４が配置されている。
ベゼル１３は、外周が胴１１の外周に連続するリング状に形成され、互いの対向面に形成された凹凸による嵌め合わせ構造あるいは両面粘着テープや接着剤などの手段によりケース１０の胴１１に接続されている。
【００２７】
ＧＰＳ付き腕時計１において、ケース１０の胴１１および裏蓋１２は、それぞれ質感の優れた金属材料で形成され、その表面には適宜な表面仕上げが施されている。
ダイヤルリング１５およびベゼル１３は合成樹脂あるいはセラミックスなどの非導電性材料で形成され、カバーガラス１４も非導電性のガラス質材料で形成されている。これらの各要素も質感を考慮した表面仕上げが施されている。
このような材質とすることで、文字板２よりも表面側（図２上側）にあるダイヤルリング１５、ベゼル１３、カバーガラス１４は全て非導電性材料となり、これらが文字板２の表面側外周に設置されたＧＰＳアンテナ２６に対して電磁気的な遮蔽物として影響することがない。
【００２８】
｛ＧＰＳアンテナ｝
ＧＰＳアンテナ２６は、矩形断面形状を有するリング状の誘電体基材２６Ａを備え、その表面にアンテナ電極２６Ｂが形成されている。
誘電体基材２６Ａに用いられる誘電体材料としては、高いアンテナ性能を重視する場合には高誘電率の誘電体セラミックスを用いることが望ましく、コストダウンを重視する場合には合成樹脂材料を用いることができる。
誘電体基材２６Ａは、前述した導電体材料の特性を考慮したうえで、使用する電波に応じた所定のアンテナ長が得られる長さとされている。
【００２９】
アンテナ電極２６Ｂは、銅などの導電性の金属板を折り曲げて誘電体基材２６Ａの表面（図２上側）に貼り付けて形成される。なお、アンテナ電極２６Ｂは、誘電体基材２６Ａの表面に無電解めっきでパターン形成することで形成してもよい。
アンテナ電極２６Ｂは、コネクター２７を介して回路基板２１の信号端子に電気的に接続されている。
【００３０】
回路基板２１は、第一基板２１１と第二基板２１２とを備える多層基板構成である。これら第一基板２１１および第二基板２１２は、コネクター２８にて電気的に接続されている。
第一基板２１１の裏面側（図２下側）には、ＧＰＳ衛星５からの受信信号を処理する受信回路２４が取り付けられている。また、第一基板２１１には、図示を略すが、ＤＣ／ＤＣコンバーターなどの電源回路も取り付けられている。そして、この第一基板２１１により本発明の受信基板が構成されている。
一方、第二基板２１２の裏面側には、制御回路２５が取り付けられている。
【００３１】
本実施形態において、回路基板２１（第一基板２１１、第二基板２１２）には図示しないグランドパターンが形成されている。グランドパターンは、回路基板２１の他の層を連結するスルーホールなどの部分は除去されて絶縁されつつ、なるべく大面積が得られる適宜な形状に形成されている。
【００３２】
｛裏蓋｝
裏蓋１２は、外周面にねじ部１２１を有したスクリュー式裏蓋である。この裏蓋１２には、ねじ部１２１と同心円の円筒状に突設された壁部１２２を備えている。すなわち、円筒状の壁部１２２の中心は、ねじ部１２１の中心と同じ位置に形成されている。
壁部１２２は、ねじ部１２１を胴１１のねじ部１１Ｂにねじ込んだ状態で、壁部１２２の先端（上端）が第一基板（受信基板）２１１のグランドパターンに当接している。そして、受信回路２４は、壁部１２２で囲まれた空間内に配置されている。
【００３３】
すなわち、受信回路２４は、裏蓋１２側の下面および側面が裏蓋１２および壁部１２２で囲まれ、文字板２側が受信基板である第一基板２１１で囲まれている。このため、受信回路２４からノイズが発せられても、ノイズは導電性部材の裏蓋１２および第一基板２１１で遮蔽されて外部に漏れ出ることがない。
また、電池２３は、裏蓋１２の壁部１２２と胴１１との間に配置されている。
【００３４】
裏蓋１２および胴１１を含むケース１０が金属製なので、装着するユーザの腕によるＧＰＳアンテナ２６への影響を回避できる。つまり、ケース１０がプラスチックケースだと、近傍にある腕の影響を受けて装着時と非装着時でアンテナの共振周波数が変動し、性能差が出て好ましくない。しかし、ケース１０が金属製なので、そのシールド効果により腕の影響を回避でき、本実施形態では装着時と非装着時とのアンテナ特性差が殆どなく、安定した受信性能が得られる。
【００３５】
｛第一実施形態の作用効果｝
以上のような第一実施形態によれば、以下のような効果が得られる。
導電性部材にて形成された裏蓋１２に、受信回路２４の周囲を囲む壁部１２２を設けている。
このため、受信回路２４から放射ノイズが発せられても、裏蓋１２の壁部１２２にて遮蔽され、ＧＰＳアンテナ２６の受信感度が低下することを防止できる。
【００３６】
さらに、裏蓋１２の壁部１２２の先端を、第一基板２１１のグランドパターンに当接させているので、受信回路２４は裏蓋１２および第一基板２１１にて囲まれた状態となっている。このため、受信回路２４からの放射ノイズが確実に遮蔽され、ＧＰＳアンテナ２６の受信感度が低下することを確実に防止できる。
さらに、裏蓋１２は、受信回路２４の放射ノイズを遮蔽するシールド板の機能も備えるため、別途、シールド板を設ける必要がない。このため、時計の厚さ寸法や部品数の増加を抑えることができる。
【００３７】
裏蓋１２の壁部１２２がねじ部１２１と同心円となるように設けている。このため、スクリュー式の裏蓋１２を胴１１に取り付ける際あるいは胴１１から取り外す際、裏蓋１２を回転させても胴１１やムーブメント２０に対する壁部１２２の位置が変化しない。このため、受信回路２４を胴１１の中心位置に配置し、裏蓋１２を取り付ければ、受信回路２４を壁部１２２の内側に確実に配置することができる。
【００３８】
［第二実施形態］
次に、本発明に係る第二実施形態のＧＰＳ付き腕時計について説明する。
図３は、本発明に係る第二実施形態のＧＰＳ付き腕時計１Ａの概略断面図である。なお、上記第一実施形態と同様の構成については、同一の符号を付し、説明を簡略化または省略する。
【００３９】
上記第一実施形態では、電池２３は、裏蓋１２の壁部１２２の外側に配置していた。これに対し、第二実施形態のＧＰＳ付き腕時計１Ａでは、電池２３も壁部１２２Ａの内周側に配置している。すなわち、第二実施形態では、壁部１２２Ａを第一実施形態よりも外周側に形成し、壁部１２２Ａの内部に電池２３を収納できるように構成した。
なお、電池２３は、コネクター２９により受信基板である第一基板２１１に電気的に接続されている。また、第一基板２１１および第二基板２１２は積層され電気的にも接続されている。そして、制御回路２５は、第二基板２１２の表面側（図３上側）に取り付けられている。
【００４０】
この第二実施形態では、前述した第一実施形態と同様な効果を奏することができる他、裏蓋１２の壁部１２２Ａ内に電池２３も収容する構成としたので、電池２３のサイズや形状の制約が小さくなり、一般的なボタン形状の電池も利用できる。
【００４１】
［第三実施形態］
次に、本発明に係る第三実施形態のＧＰＳ付き腕時計について説明する。
図４は、本発明に係る第三実施形態のＧＰＳ付き腕時計１Ｂの概略断面図である。なお、上記各実施形態と同様の構成については、同一の符号を付し、説明を簡略化または省略する。
【００４２】
上記第一実施形態では、スクリュー式の裏蓋１２を用いていた。これに対し、第三実施形態のＧＰＳ付き腕時計１Ｂは、裏蓋１２Ｂを胴１１にねじ止めする構成としている。
具体的には、裏蓋１２Ｂは、外周縁に鍔状に突設され、胴１１の下端部（図４下側）にねじ止めされるフランジ部１２３を有している。この裏蓋１２Ｂの表面（図４上側）には、先端が第一基板２１１のグランドパターンに当接される壁部１２２Ｂが設けられている。この壁部１２２Ｂは、スクリュー式の裏蓋のように円筒状でかつねじ部１２１と同心円に形成する必要がない。このため、電池２３との納まりの関係で、受信回路２４を胴１１の中心から外側にずらして配置した場合でも、この受信回路２４を囲むように壁部１２２Ｂを形成することができる。
【００４３】
この第三実施形態では、前述した第一実施形態と同様に、受信回路２４は、裏蓋１２Ｂ、裏蓋１２Ｂの壁部１２２Ｂ、受信基板である第一基板２１１で囲まれているので、ノイズを遮蔽できてＧＰＳアンテナ２６の受信感度が低下することを防止できる。
さらに、第三実施形態では、裏蓋１２Ｂを胴１１にねじ止めする構成としたので、壁部１２２Ｂを裏蓋１２Ｂの中心から変位した位置に設けることができる。また、壁部１２２Ｂの平面形状も円形に限らず、矩形などにすることもできる。このため、受信回路２４の配置位置の自由度が高まり、壁部１２２Ｂの平面形状も受信回路２４の平面形状に合わせて設計できる。このため、壁部１２２Ｂの外側に設けられる電池２３の配置スペースを大きくすることもできる。
【００４４】
［第四実施形態］
次に、本発明に係る第四実施形態のＧＰＳ付き腕時計について説明する。
図５は、本発明に係る第四実施形態のＧＰＳ付き腕時計１Ｃの概略断面図である。なお、上記各実施形態と同様の構成については、同一の符号を付し、説明を簡略化または省略する。
【００４５】
前記各実施形態は、胴１１および裏蓋１２、１２Ｂが別体であったが、第四実施形態のＧＰＳ付き腕時計１Ｃは、胴１１Ｃおよび裏蓋１２Ｃが一体とされたワンピースタイプのケース１０Ｃを用いている。
具体的には、ケース１０Ｃは、円筒状の胴１１Ｃと、胴１１Ｃの軸方向の一端に一体に設けられて胴１１Ｃの一端面を閉塞する裏蓋１２Ｃとを有し、有底円筒状に形成されている。
そして、裏蓋１２Ｃには壁部１２２Ｃが設けられている。この壁部１２２Ｃの先端の内周縁には、受信基板である第一基板２１１の外周縁が係合してねじ止めされる段差部が設けられている。壁部１２２Ｃは、段差部に係合した第一基板２１１のグランドパターンと電気的に接続される。
【００４６】
この第四実施形態では、前述した第１実施形態と同様に、受信回路２４は、裏蓋１２Ｃ、裏蓋１２Ｃの壁部１２２Ｃ、受信基板である第一基板２１１で囲まれているので、ノイズを遮蔽でき、ＧＰＳアンテナ２６の受信感度が低下することを防止できる。特に、受信回路２４は裏蓋１２Ｃおよび第一基板２１１にて囲まれた状態となっているので、受信回路２４からの放射ノイズを確実に遮蔽でき、ＧＰＳアンテナ２６の受信感度が低下することを確実に防止できる。
さらに、第四実施形態では、胴１１Ｃと裏蓋１２Ｃとが一体構造のため、防水性などに優れたＧＰＳ付き腕時計１Ｃを構成できる。
【００４７】
［他の実施形態］
なお、本発明は前記各実施形態に限定されず、本発明の要旨の範囲内で種々の変形実施が可能である。
例えば、ＧＰＳ付き腕時計１，１Ａ，１Ｂ，１Ｃは、指針３で時刻を指示するアナログ時計であったが、これに限らず、例えば指針３およびディスプレイを有するコンビネーション時計でもよいし、ディスプレイのみを有するデジタル時計でもよい。さらに、本発明は、腕時計に限らず、懐中時計などの各種時計などに適用してもよい。
【００４８】
また、前記各実施形態では、壁部１２２，１２２Ａ，１２２Ｂ，１２２Ｃを、受信基板である第一基板２１１のグランドパターンに当接させていたが、必ずしも当接させなくてもよい。ただし、当接させたほうが、シールド効果を高めることができる点で好ましい。
さらに、前記各実施形態では、受信基板である第一基板２１１に搭載された受信回路２４の周囲を、裏蓋１２，１２Ｂ，１２Ｃの壁部１２２，１２２Ａ，１２２Ｂ，１２２Ｃで囲んでいたが、受信基板に搭載された電源回路を囲む構成としてもよいし、受信回路２４および電源回路の両方を囲む構成としてもよい。すなわち、本発明は、受信基板に搭載される回路のうち、アンテナ２６に対して放射ノイズ源となる各種回路を、裏蓋１２，１２Ｂ，１２Ｃの壁部１２２，１２２Ａ，１２２Ｂ，１２２Ｃで囲み、その放射ノイズを遮蔽して、アンテナ２６での受信感度の低下を防止できればよい。
【００４９】
また、位置情報衛星の例としてＧＰＳ衛星５について説明したが、本発明の位置情報衛星としては、ＧＰＳ衛星５だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でもよい。
また、このような位置情報衛星からの衛星信号の電波受信に限られず、例えば９００ＭＨｚ帯を用いる円偏波の無線タグの近距離無線受信装置としても用いることができる。
さらには、円偏波の受信に限らず、直線偏波の電波を受信するものとしても用いることができる。
【００５０】
その他、本発明の実施における具体的な構成および形態などは、本発明の目的を達成できる範囲で他の構造などとしてもよい。
【符号の説明】
【００５１】
１，１Ａ，１Ｂ，１Ｃ…ＧＰＳ付き腕時計（電子時計）、３…指針、１０，１０Ｃ…ケース、１１，１１Ｃ…胴、１２，１２Ｂ，１２Ｃ…裏蓋、１２１…ねじ部、１２２，１２２Ａ，１２２Ｂ，１２２Ｃ…壁部、２０…ムーブメント、２１…回路基板、２１１…第一基板（受信基板）、２１２…第二基板、２３…電池、２４…受信回路、２５…制御回路、２６…ＧＰＳアンテナ。
【図１】
2013050323.tif 000003
【図２】
2013050323.tif 000004
【図３】
2013050323.tif 000005
【図４】
2013050323.tif 000006
【図５】
2013050323.tif 000007